(57)【要約】【課題】イメージサークルの小さいカメラ用交換レンズを、中間アダプタを介して前記イメージサークルよりも大きい撮像素子を有するカメラに装着して撮影した際に良好な画像を得ること【解決手段】第１の交換レンズが装着可能なカメラ本体１００に対して、該第１の交換レンズよりもフランジバックが長く、前記第１の交換レンズよりも保障イメージサークルの小さい交換レンズ１０１と該交換レンズ１０１とフランジバックが同一で、前記第１の交換レンズと保障イメージサークルが同一である交換レンズ１１３の一方を装着するための中間アダプタ１０２は、交換レンズ１０１が中間アダプタ１０２に装着された場合に、交換レンズ１０１からカメラ本体への光束の一部を遮光する円板１０６ａを有する。【選択図】図１
2015118208.tif 000002
【特許請求の範囲】
【請求項１】
第１の交換レンズが装着可能なカメラ本体に対して、前記第１の交換レンズよりもフランジバックが長く、前記第１の交換レンズよりも保障イメージサークルの小さい第２の交換レンズと、該第２の交換レンズとフランジバックが同一で、前記第１の交換レンズと保障イメージサークルが同一である第３の交換レンズの一方を装着するための中間アダプタであって、
前記第２の交換レンズが前記中間アダプタに装着された場合に、前記第２の交換レンズから前記カメラ本体への光束の一部を遮光する遮光部材を有することを特徴とする中間アダプタ。
【請求項２】
前記第２の交換レンズが前記中間アダプタに装着された場合の前記遮光部材の開口は前記第３の交換レンズが前記中間アダプタに装着された場合の前記遮光部材の前記開口よりも小さいことを特徴とする請求項１に記載の中間アダプタ。
【請求項３】
前記第２の交換レンズが前記中間アダプタに装着された場合には、前記遮光部材が前記第２の交換レンズと前記カメラ本体の間に挿入され、
前記第３の交換レンズが前記中間アダプタに装着された場合には、前記遮光部材は前記第３の交換レンズと前記カメラ本体の間には挿入されないことを特徴とする請求項１に記載の中間アダプタ。
【請求項４】
それぞれ異なる開口を有する複数の遮光部材を切り替えて前記第２の交換レンズと前記第３の交換レンズの前記一方の光軸上に配置する切替手段を有することを特徴とする請求項１乃至３のうちいずれか１項に記載の中間アダプタ。
【請求項５】
前記遮光部材は、前記第２の交換レンズと前記第３の交換レンズの前記一方の光軸上に配置され、
前記遮光部材の開口の大きさを変更する手段を更に有することを特徴とする請求項１乃至３のうちいずれか１項に記載の中間アダプタ。
【請求項６】
前記カメラ本体と、前記第２の交換レンズと前記第３の交換レンズの前記一方と、通信する制御手段を更に有し、
前記制御手段は、前記カメラ本体の撮像素子のサイズ、前記一方の保障イメージサークルに基づいて前記遮光部材の開口の大きさを変更することを特徴とする請求項１に記載の中間アダプタ。
【請求項７】
前記第２の交換レンズと前記第３の交換レンズの前記一方の前記中間アダプタへの装着状態に基づいて機械的に前記遮光部材の開口の大きさを変更する手段を有することを特徴とする請求項１に記載の中間アダプタ。
【請求項８】
前記中間アダプタが前記カメラ本体に装着され、前記第２の交換レンズと前記第３の交換レンズのいずれも前記中間アダプタに装着されていない場合には、開口のない前記遮光部材が前記カメラ本体の撮像素子の前に配置されることを特徴とする請求項１乃至７のうちいずれか１項に記載の中間アダプタ。
【請求項９】
第１の交換レンズが装着可能なカメラ本体と、
前記第１の交換レンズよりもフランジバックが長く、前記第１の交換レンズよりも保障イメージサークルの小さい第２の交換レンズと、
該第２の交換レンズとフランジバックが同一で、前記第１の交換レンズと保障イメージサークルが同一である第３の交換レンズの一方を装着するための中間アダプタと、
を有し、
前記中間アダプタは、前記第２の交換レンズが前記中間アダプタに装着された場合に、前記第２の交換レンズから前記カメラ本体への光束の一部を遮光する遮光部材を有することを特徴とするカメラシステム。
【請求項１０】
交換レンズとカメラ本体の間に配置され、前記交換レンズを前記カメラ本体に装着して前記カメラ本体による撮影を可能にするための中間アダプタであって、
前記交換レンズから前記カメラ本体への光束が通過する開口を有し、前記開口の大きさが変更可能に構成されている遮光部材を有することを特徴とする中間アダプタ。
【発明の詳細な説明】
【技術分野】
【０００１】
本発明は、中間アダプタに関する。
【背景技術】
【０００２】
一眼レフカメラ用撮像素子では、３５ｍｍフィルムサイズやＡＰＳ−Ｃサイズが使用され、ＡＰＳ−Ｃサイズのイメージサークルのみをカバーする交換レンズも商品化されている。また、このようなフランジバックや装着部のマウントが同一ながら、イメージサークルが小さい交換レンズを３５ｍｍフィルムサイズの撮像素子を有するカメラに装着できないようにするカメラシステムも知られている。ミラーレスカメラ用撮像素子では、ＡＰＳ−Ｃサイズ以下のサイズが主流であり、交換レンズも小型になっている。
【０００３】
ミラーレスカメラのようにフランジバックの短いカメラに、一眼レフカメラ用のようなフランジバックの長い交換レンズを、中間アダプタを介して装着して撮影可能にするカメラシステムが提案されている。例えば、特許文献１は、レンズ交換可能なビデオカメラ用に、ビデオカメラ専用の交換レンズの他に、３５ｍｍ一眼レフ用交換レンズを、アダプタを介して装着して撮影することができるようにしたカメラシステムを開示している。
【先行技術文献】
【特許文献】
【０００４】
【特許文献１】特開平５−９１３８８号公報
【発明の概要】
【発明が解決しようとする課題】
【０００５】
しかしながら、イメージサークルの小さいカメラ用交換レンズを、中間アダプタを介して前記イメージサークルよりも大きい撮像素子を有するカメラに装着して撮影すると、撮影画像の画質が低下するおそれがある。特許文献１は、撮像素子のサイズおよび交換レンズが保障するイメージサークルサイズについて言及していない。
【０００６】
本発明は、イメージサークルの小さいカメラ用交換レンズを、中間アダプタを介して前記イメージサークルよりも大きい撮像素子を有するカメラに装着して撮影した際に良好な画像を得ることが可能な中間アダプタを提供することを例示的な目的とする。
【課題を解決するための手段】
【０００７】
本発明の中間アダプタは、第１の交換レンズが装着可能なカメラ本体に対して、前記第１の交換レンズよりもフランジバックが長く、前記第１の交換レンズよりも保障イメージサークルの小さい第２の交換レンズと、該第２の交換レンズとフランジバックが同一で、前記第１の交換レンズと保障イメージサークルが同一である第３の交換レンズの一方を装着するための中間アダプタであって、前記第２の交換レンズが前記中間アダプタに装着された場合に、前記第２の交換レンズから前記カメラ本体への光束の一部を遮光する遮光部材を有することを特徴とする。
【発明の効果】
【０００８】
本発明によれば、イメージサークルの小さいカメラ用交換レンズを、中間アダプタを介して前記イメージサークルよりも大きい撮像素子を有するカメラに装着して撮影した際に良好な画像を得ることができる。
【図面の簡単な説明】
【０００９】
【図１】本実施形態の中間アダプタに、カメラ本体と、カメラ本体の撮像素子サイズよりも保障イメージサークルの小さい交換レンズを装着したカメラシステムを示す断面図である。
【図２】本実施形態の中間アダプタに、カメラ本体と、カメラ本体の撮像素子サイズをカバーする保障イメージサークルの交換レンズを装着したカメラシステムを示す断面図である。
【図３】カメラ本体の撮像素子サイズと、交換レンズが保障するイメージサークルと撮像範囲の関係を示す概略図である。
【図４】図３の関係であったときの、撮像素子への入射光と、その正反射光を示す光線図である。
【発明を実施するための形態】
【００１０】
近年、更なる高画質化のために、３５ｍｍフィルムサイズの撮像素子を有するミラーレスカメラシステムが提案されており、一眼レフカメラ用交換レンズを装着可能な中間アダプタが求められている。この場合の中間アダプタの開口部の大きさは、３５ｍｍフィルムサイズ用の交換レンズを装着した場合の光束を保障する大きさとなる。また、３５ｍｍフィルムサイズの撮像素子を有するカメラに、ＡＰＳ−Ｃサイズのイメージサークルを保障する交換レンズが中間アダプタを介して装着可能となることになる。
【００１１】
図３は、カメラ本体の撮像素子サイズと交換レンズが保障するイメージサークルと撮像範囲の関係を示す概略図である。同図に示すように、ＡＰＳ−Ｃサイズ画面１より外側でＡＰＳ−Ｃイメージサークル２より内側には、３５ｍｍフィルムサイズの撮像素子面３がある。つまり、図３中のハッチング部にも光線が到達し、撮像素子面３が反射面となって正反射光が交換レンズ内に入射する。
【００１２】
図４は、図３の関係であったときの、撮像素子への入射光と、その正反射光を示す光線図である。望遠系のレンズで像高が低いＡ以上Ｂ以下の範囲に到達する光線は、光軸とのなす角が小さいので、正反射光束４は、図４のように、交換レンズ内に入射し易い。正反射光束４の入射先に、交換レンズ内のアクチュエータに通電するための電装系等の反射率が高い部材が存在すると、二次的な光源となりゴーストなど撮影画像に悪影響を及ぼすおそれがある。
【００１３】
ＡＰＳ−Ｃサイズのイメージサークルのみを保障する一眼レフ用交換レンズが、ＡＰＳ−Ｃサイズの撮像素子のカメラに装着可能で、３５ｍｍフィルムサイズの撮像素子のカメラには装着できないカメラシステムを考える。フランジバックの変更により、中間アダプタを介して新たに３５ｍｍフィルムサイズの撮像素子のミラーレスカメラに装着可能にした場合、図４の問題が発生し易い。
【００１４】
この課題を解決するために、ＡＰＳ−Ｃサイズのイメージサークルのみを保障する交換レンズ用に、別途中間アダプタの開口部の大きさを設定することも考えられるが、中間アダプタが２種類存在することになり、システムとして煩雑になる。
【００１５】
図１は、本実施形態の中間アダプタに、３５ｍｍフィルム撮像素子サイズのカメラ本体と、ＡＰＳ−Ｃ撮像素子サイズ一眼レフカメラ用交換レンズを装着したカメラシステムを示す断面図である。図２は、本実施形態の中間アダプタに、３５ｍｍフィルム撮像素子サイズのカメラ本体と、３５ｍｍフィルム撮像素子サイズ一眼レフカメラ用交換レンズを装着したカメラシステムを示す断面図である。
【００１６】
以下、図１および図２を参照して、本実施形態の中間アダプタ１０２について説明する。中間アダプタ１０２は、交換レンズとカメラ本体１００の間に配置され、交換レンズをカメラ本体１００に装着してカメラ本体による撮影を可能にする。
【００１７】
カメラ本体１００は、中間アダプタ１０２が着脱自在に取り付けられ、本実施形態ではミラーレスカメラ（撮像装置）である。カメラ本体１００は、３５ｍｍフィルムと同等の大きさの撮像素子１００ａを有し、３５ｍｍフィルム撮像素子サイズミラーレスカメラ用交換レンズ（第１の交換レンズ）に対応する。撮像素子１００ａは、撮影光学系が形成した光学像を光電変換する。
【００１８】
１０１はＡＰＳ−Ｃ撮像素子サイズ一眼レフカメラ用交換レンズ（第２の交換レンズ）である。交換レンズ１０１は、前記第１の交換レンズよりもフランジバックが長く、前記第１の交換レンズよりも保障イメージサークルが小さい。交換レンズ１０１は、被写体の光学像を形成する撮影光学系を有する６群構成の交換レンズである。撮影光学系は、物体側から順に、第１〜第６レンズ群Ｌ１〜Ｌ６を有する。
【００１９】
図１は、中間アダプタ１０２の前方に交換レンズ１０１を装着し、後方にカメラ本体１００を装着した状態を示している。
【００２０】
図２は、中間アダプタ１０２の前方に３５ｍｍフィルム撮像素子サイズ一眼レフカメラ用交換レンズ（第３の交換レンズ）１１３を装着し、後方にカメラ本体１００を装着した状態を示している。交換レンズ１１３は、交換レンズ１０１とフランジバックが同一で、第１の交換レンズと保障イメージサークルが同一である。交換レンズ１１３は、第１〜第５レンズ群Ｌ１１〜Ｌ１５を有する。
【００２１】
中間アダプタ１０２は、アダプタ本体１０３と開口形状決定ユニット１０６を有する。本実施例では、中間アダプタ１０２は、交換レンズ１０１と１１３の一方をカメラ本体１００に対して装着させ、撮影させる。
【００２２】
アダプタ本体１０３の前面には一眼レフカメラ用の交換レンズを装着するためのマウント１０４が設けられ、後面にはカメラ本体１００に装着される交換レンズ用のマウントと同様のレンズ用マウント１０５が設けられている。
【００２３】
開口形状決定ユニット１０６は、交換レンズからカメラ本体１００への撮影光束が通過する開口の形状を決定し、円板１０６ａ、回転軸１０６ｂ、モータ１０７、メイン基板１０８を有する。
【００２４】
複数の円板１０６ａは、異なる開口形状を有し、例えば、ターレット式（切替手段）に回転軸１０６ｂ周りに回転可能に保持されている遮光部材である。これにより、開口の大きさは変更可能に構成される。開口形状は、例えば、図３のハッチングの部分を遮光する矩形形状であってもよい。交換レンズを通過した撮影光束がこの開口を通過する。開口の周囲は遮光部となっていて、不要な光を遮光する。円板１０６ａは、少なくとも交換レンズ１０１からカメラ本体１００への光束の一部を遮光する。
【００２５】
図１では、光軸上に配置されている円板１０６ａの開口の半分の長さ（または半径）はＡ’であり、光軸から退避している円板１０６ａの開口の半分の長さ（または半径）はＢ’である。図２では、これが逆の配置になっている。Ａ’＜Ｂ’である。
【００２６】
モータ１０７は、円板１０６ａを、ギア１０７ａを介して回転軸１０６ｂ中心に回動させる駆動手段である。メイン基板１０８は、レンズ用接点１０９を介して交換レンズ１０１に接続され、カメラ側接点１１０を介してカメラ本体１００に接続されている。
【００２７】
メイン基板１０８には、ＣＰＵ（制御手段）が実装されている。ＣＰＵは、カメラ本体１００からの信号に基づいてモータ１０７を駆動制御し、カメラ本体１００側の制御手段や交換レンズ１０１側の制御手段との間で各種の信号を通信したり電源の供給などを行ったりする。
【００２８】
なお、開口形状決定ユニット１０６は、本実施例のターレット構造に限定されず、例えば、絞り羽根を有する絞りのように、開口径が可変であってもよい。
【００２９】
アダプタ本体１０３の前側の内側には、レンズ用接点台座１１１が固定されている。レンズ用接点台座１１１は、レンズ用接点１０９を保持する。また、アダプタ本体１０３の後側の内側には、裏蓋１１２が固定されている。裏蓋１１２は、カメラ側接点１１０を保持する。レンズ用接点台座１１１と裏蓋１１２の間には所定の間隔が設けられており、この間で円板１０６ａが回転され、中間アダプタ１０２内の開口形状を決定する。
【００３０】
動作において、カメラ本体１００は、電源が投入されると、装着されているのが不図示の交換レンズなのか中間アダプタ１０２なのかを判別する。中間アダプタ１０２である場合、中間アダプタ１０２に装着されている交換レンズの保障イメージサークルより決定される撮像範囲が、撮像素子１００ａよりも小さいのか同一なのかの判別を、中間アダプタ１０２を経由しておこなう。
【００３１】
図１では、ＡＰＳ−Ｃ撮像素子サイズ一眼レフカメラ用交換レンズ１０１が装着され、撮像素子１００ａよりも小さい場合、即ち、図３に示す像高Ａまでである場合に該当する。そこで、カメラ本体１００は、中間アダプタ１０２に対して、対応した開口形状の像高Ａ′となるように制御信号を送信する。中間アダプタ１０２は、カメラ本体１００からの制御信号により、像高Ａ′となるようにモータ１０７を駆動させ、円板１０６ａを回転させる。これにより、図４に示す正反射光４が交換レンズ１０１に入射することを防止することができ、撮影画像に悪影響を及ぼす恐れがなくなり、良好な画像を得ることができる。
【００３２】
図２では、３５ｍｍフィルム撮像素子サイズ一眼レフカメラ用交換レンズ１１３が装着され、撮像素子１００ａと同一の場合、即ち、図３に示す像高Ｂまでである場合に該当する。そこで、カメラ本体１００は、中間アダプタ１０２に対して、対応した開口形状の像高Ｂ′となるように制御信号を送信する。中間アダプタ１０２は、カメラ本体１００からの制御信号により、図２に示すように、対応した開口形状の像高Ｂ′となるようにモータ１０７を駆動させ、円板１０６ａを回転させる。これにより、ケラレることなく撮像素子１００ａの周辺まで光線が到達し、３５ｍｍフィルムと同等の大きさを生かした撮影が可能となる。
【００３３】
中間アダプタ１０２に交換レンズ１０１が装着されておらず、カメラ本体１００に、中間アダプタ１０２のみが装着されている場合、カメラ本体１００は中間アダプタ１０２に対して、不図示の全閉部を使用するように制御信号を送信する。中間アダプタ１０２は、カメラ本体１００からの制御信号により、開口がない不図示の全閉部となるようにモータ１０７を駆動させ、円板１０６ａを回転させる。これにより、中間アダプタ１０２のみがカメラ本体１００に装着されている場合に、撮像素子１００ａへの粉塵の侵入が抑制される。
【００３４】
本実施形態では、図２において、開口の長さの半分がＢ’の円板１０６ａが光軸に挿入されているが、図２では円板１０６ａが挿入されなくてもよい。
【００３５】
本実施形態では、電気通信によってカメラ本体１００のカメラ制御手段が中間アダプタ１０２の円板１０６ａの駆動制御を行っている。カメラ制御手段は不図示の記憶手段を有する。記憶手段には、交換レンズの種類（識別情報）と中間アダプタの種類（識別情報）と選択されるべき円板１０６ａの種類（識別情報）の関係を示すテーブルを保持している。カメラ制御手段は、交換レンズのレンズ制御手段と中間アダプタのメイン基板１０８のＣＰＵと通信し、記憶手段に記憶されたテーブルの情報から現在の交換レンズに適した円板１０６ａを選択して中間アダプタ１０２に指示する。なお、中間アダプタまたは交換レンズの制御手段がこの制御を行ってもよい。
【００３６】
また、適切な円板１０６ａの選択は電気的に行わなくてもよく、機械的に行ってもよい。例えば、図１と図２を見ると、図１の方が交換レンズ１０１の最終レンズ（第６レンズ群Ｌ６）がマウントに近いことが分かる。つまり、交換レンズ（が保障するイメージサークル）によって交換レンズと中間アダプタ１０２の装着状態が異なるが分かる。そこで、交換レンズの中間アダプタ１０２における装着位置に応じて円板１０６ａを機械的に選択するようにしてもよい。例えば、装着位置に押圧されることによって変位する部材を配置し（押圧力がなければ元の位置に復帰するように付勢される）、この部材の変位に応じて円板１０６ａを光軸上に移動する手段を設けてもよい。この手段は、絞り構成の遮光部材の開口の大きさを変更してもよい。
【００３７】
以上、本発明の好ましい実施形態について説明したが、本発明はこれらの実施形態に限定されず、その要旨の範囲内で種々の変形及び変更が可能である。例えば、本実施形態では、３５ｍｍフィルムサイズとＡＰＳ−Ｃサイズを例に説明したが、ＡＰＳ−Ｈなどこの２種類に限定されない。
【産業上の利用可能性】
【００３８】
本発明は、デジタルスチルカメラやデジタルビデオカメラなどの撮像装置の用途に適用することができる。
【符号の説明】
【００３９】
１００…カメラ本体、１０１…ＡＰＳ−Ｃ撮像素子サイズ一眼レフカメラ用交換レンズ（第２の交換レンズ）、１０２…中間アダプタ、１０６ａ…円板（遮光部材）、１１３…３５ｍｍフィルム撮像素子サイズ一眼レフカメラ用交換レンズ（第３の交換レンズ）
【図３】
2015118208.tif 000003
【図１】
2015118208.tif 000004
【図２】
2015118208.tif 000005
【図４】
2015118208.tif 000006